(57)【要約】【課題】従来よりロック部材の耐久性が高い蓋体を提供する。【解決手段】本発明の蓋体１０では、第１ストッパ部Ｓ１，Ｓ２と第２ストッパ部Ｓ３，Ｓ４が、上部係合片４１の回動半径方向の２箇所に分けて配置されているので、ロック部材４０の回動中心に近い側と遠い側との何れかを引っ張られても、それら負荷に対抗することができる。また、上部係合片４１が、上支持壁２０と下支持壁１５Ｗとに上下から挟まれて上下方向への変形が規制され、その上部係合片４１と上支持壁２０とに備えた第１ストッパ部Ｓ１，Ｓ２と第２ストッパ部Ｓ３，Ｓ４によってロック部材４０が第２回動位置より外側に回動することを規制するから、ロック部材４０の回動規制が従来より強化され、ロック部材４０の耐久性が向上する。【選択図】図１２
2019112070.tif 000002
【特許請求の範囲】
【請求項１】
コンテナの上端フランジの上面に重なり、前記コンテナの上面開口を閉塞する蓋本体部と、
前記蓋本体部の外縁部に支持されて、第１回動位置と第２回動位置との間を水平に回動するロック部材と、
前記ロック部材に設けられ、前記第１回動位置で前記上端フランジの下面に重なり、前記第２回動位置で前記上端フランジの側方に位置するロック突片と、
前記ロック突片に上方から対向する上部係合片と、
前記上端フランジの側面に宛がわれ、前記上部係合片と前記ロック突片とを支持する側部壁と、
前記蓋本体部の一部として設けられて、前記上端フランジの上面に重なった状態で前記上部係合片と前記ロック突片との間に受容される下支持壁と、
前記蓋本体部の一部として設けられて、前記下支持壁に上方から対向し、前記下支持壁との間に前記上部係合片を受容する上支持壁と、
前記上部係合片と前記上支持壁又は前記下支持壁とに設けられ、前記ロック部材が前記第２回動位置に位置したときに互いに対向して前記ロック部材の外側への回動を規制する第１ストッパ部と、
前記上部係合片と前記上支持壁又は前記下支持壁とに設けられ、前記第１ストッパ部より回動中心から離れた位置に配置され、前記ロック部材が前記第２回動位置に位置したときに互いに対向して前記ロック部材の外側への回動を規制する第２ストッパ部と、を備える蓋体。
【請求項２】
円弧状をなして前記第１ストッパ部又は前記第２ストッパ部から延びるガイド面が、前記ロック部材と前記上支持壁又は前記下支持壁との一方に形成されると共に、前記ロック部材の回動に伴って前記ガイド面に沿って相対移動する被ガイド部が、前記ロック部材と前記上支持壁又は前記下支持壁との他方に形成されている請求項１に記載の蓋体。
【請求項３】
前記上部係合片には、前記第１ストッパ部と前記第２ストッパ部との間を前記側部壁側に凹ませてなる干渉回避用凹部が形成され、
前記上支持壁と前記下支持壁との間を連絡し、前記干渉回避用凹部に受容される上下連絡壁を備える請求項１又は２に記載の蓋体。
【請求項４】
前記上支持壁の外側面は、前記蓋本体部の外側面より内側に配置され、
前記上部係合片の上面には、前記ロック部材が前記第１回動位置に配置されたときに前記上支持壁の外側面に宛がわれかつ、前記上部係合片の略全体に亘って延びる補強リブが備えられ、
前記ロック部材の回動中心は、前記蓋本体部の外側面と前記上支持壁の外側面との間でかつ前記補強リブの長手方向の一端部に配置されている請求項１乃至３の何れか１の請求項に記載の蓋体。
【請求項５】
前記蓋本体部の外縁部から垂下し、前記上端フランジの外側に嵌合すると共に、前記ロック突片が貫通する貫通孔を有する嵌合部が備えられ、
前記ロック部材が前記第２回動位置に位置したときに、前記ロック突片のうち前記上端フランジに最も近い部位が、前記嵌合部の内側面から延長された面上か又はそれより外側に位置する請求項１乃至４の何れか１の請求項に記載の蓋体。
【発明の詳細な説明】
【技術分野】
【０００１】
本発明は、コンテナの上端フランジにロック部材を係合させて、コンテナの上面開口を閉塞した状態にロックされる蓋体に関する。
【背景技術】
【０００２】
従来、この種の蓋体として、ロック部材が蓋体に対して回動可能に支持され、その回動範囲の第１回動位置に配置されるとロック部材のロック突片がコンテナの上端フランジの下面に係合して蓋体がコンテナにロックされ、第２回動位置に配置されるとロック突片がコンテナの上端フランジの側方に退避して蓋体をコンテナから離脱することができるようになるものが知られている（例えば、特許文献１参照）。
【先行技術文献】
【特許文献】
【０００３】
【特許文献１】実公平０５−２３４９３号公報（第１図、第３図）
【発明の概要】
【発明が解決しようとする課題】
【０００４】
ところで、上記した従来の蓋体では、ロック突片の先端の突部と蓋体の壁部との当接により、ロック部材が第２回動位置より外側に回動することが規制されている。しかしながら、その規制が容易に外れてロック部材が第２回動位置より外側に回動したり、ロック部材が蓋体から外れることが起こり得た。
【０００５】
本発明は、上記事情に鑑みてなされたもので、従来よりロック部材の耐久性が高い蓋体の提供を目的とする。
【課題を解決するための手段】
【０００６】
上記目的を達成するためになされた請求項１の発明は、コンテナの上端フランジの上面に重なり、前記コンテナの上面開口を閉塞する蓋本体部と、前記蓋本体部の外縁部に支持されて、第１回動位置と第２回動位置との間を水平に回動するロック部材と、前記ロック部材に設けられ、前記第１回動位置で前記上端フランジの下面に重なり、前記第２回動位置で前記上端フランジの側方に位置するロック突片と、前記ロック突片に上方から対向する上部係合片と、前記上端フランジの側面に宛がわれ、前記上部係合片と前記ロック突片とを支持する側部壁と、前記蓋本体部の一部として設けられて、前記上端フランジの上面に重なった状態で前記上部係合片と前記ロック突片との間に受容される下支持壁と、前記蓋本体部の一部として設けられて、前記下支持壁に上方から対向し、前記下支持壁との間に前記上部係合片を受容する上支持壁と、前記上部係合片と前記上支持壁又は前記下支持壁とに設けられ、前記ロック部材が前記第２回動位置に位置したときに互いに対向して前記ロック部材の外側への回動を規制する第１ストッパ部と、前記上部係合片と前記上支持壁又は前記下支持壁とに設けられ、前記第１ストッパ部より回動中心から離れた位置に配置され、前記ロック部材が前記第２回動位置に位置したときに互いに対向して前記ロック部材の外側への回動を規制する第２ストッパ部と、を備える蓋体である。
【０００７】
請求項２の発明は、円弧状をなして前記第１ストッパ部又は前記第２ストッパ部から延びるガイド面が、前記ロック部材と前記上支持壁又は前記下支持壁との一方に形成されると共に、前記ロック部材の回動に伴って前記ガイド面に沿って相対移動する被ガイド部が、前記ロック部材と前記上支持壁又は前記下支持壁との他方に形成されている請求項１に記載の蓋体である。
【０００８】
請求項３の発明は、前記上部係合片には、前記第１ストッパ部と前記第２ストッパ部との間を前記側部壁側に凹ませてなる干渉回避用凹部が形成され、前記上支持壁と前記下支持壁との間を連絡し、前記干渉回避用凹部に受容される上下連絡壁を備える請求項１又は２に記載の蓋体である。
【０００９】
請求項４の発明は、前記上支持壁の外側面は、前記蓋本体部の外側面より内側に配置され、前記上部係合片の上面には、前記ロック部材が前記第１回動位置に配置されたときに前記上支持壁の外側面に宛がわれかつ、前記上部係合片の略全体に亘って延びる補強リブが備えられ、前記ロック部材の回動中心は、前記蓋本体部の外側面と前記上支持壁の外側面との間でかつ前記補強リブの長手方向の一端部に配置されている請求項１乃至３の何れか１の請求項に記載の蓋体である。
【００１０】
請求項５の発明は、前記蓋本体部の外縁部から垂下し、前記上端フランジの外側に嵌合すると共に、前記ロック突片が貫通する貫通孔を有する嵌合部が備えられ、前記ロック部材が前記第２回動位置に位置したときに、前記ロック突片のうち前記上端フランジに最も近い部位が、前記嵌合部の内側面から延長された面上か又はそれより外側に位置する請求項１乃至４の何れか１の請求項に記載の蓋体である。
【発明の効果】
【００１１】
［請求項１の発明］
請求項１の蓋体のロック部材では、上部係合片が上支持壁と下支持壁とによって上下から挟まれて上下方向への変形を規制される。そして、その上部係合片と上支持壁又は下支持壁とに備えた第１と第２のストッパ部によってロック部材が第２回動位置より外側に回動することを規制するから、ロック部材の回動規制が従来より強化され、ロック部材の耐久性が向上する。しかも、第１と第２のストッパ部は、上部係合片の回動半径方向の２箇所に分けて配置されているので、ロック部材の回動中心に近い側と遠い側との何れかを引っ張られても、それら負荷に対抗することができる。
【００１２】
［請求項２の発明］
請求項２の蓋体では、ガイド面と被ガイド部との案内により、ロック部材が第２回動位置に配置されたときに第１又は第２のストッパ部が安定して対向し、ロック部材の回動規制が強化される。
【００１３】
［請求項３の発明］
請求項３の蓋体では、上部係合片のうち第１ストッパ部と第２ストッパ部との間に干渉回避用凹部を形成したことで、その干渉回避用凹部に受容される上下連絡壁にて上支持壁と蓋本体部との間を連絡することができる。これにより上支持壁の変形が規制されてロック部材の回動規制が強化される。
【００１４】
［請求項４の発明］
請求項４の蓋体では、上支持壁の外側面は、蓋本体部の外側面より内側に配置されている。そして、上部係合片の上面から起立する補強リブが、ロック部材が第１回動位置に配置されたときに上支持壁の外側面に宛がわれるので、補強リブを、蓋本体部の外側面より側方に大きく突出させずに、その補強リブにてロック部材を補強することができる。しかも、ロック部材の回動中心を補強リブの長手方向の一端部に配置したことで補強リブを上支持壁と干渉させずに、上部係合片の上面の略全体に亘って延ばすことができ、上部係合片全体を補強することができる。
【００１５】
［請求項５の発明］
請求項５の蓋体では、ロック部材が第２回動位置に位置したときに、ロック突片のうち上端フランジに最も近い部位が、上端フランジの外側に嵌合する嵌合部の内側面から延長された面上か又はそれより外側に位置するので、コンテナに対する蓋体の脱着時に上端フランジとロック部材との干渉が確実に防がれる。
【図面の簡単な説明】
【００１６】
【図１】本発明の一実施形態に係る蓋体とコンテナのロック状態の斜視図
【図２】蓋体とコンテナのロック解除状態の斜視図
【図３】蓋体の裏面側の斜視図
【図４】蓋体とコンテナのロック状態の側断面図
【図５】蓋体とコンテナのロック解除状態の側断面図
【図６】回動支持部の拡大斜視図
【図７】回動支持部を下方から見た一部破断の拡大斜視図
【図８】ロック部材の上面側の斜視図
【図９】ロック部材の下面側の斜視図
【図１０】第２回動位置のロック部材と回動支持部の斜視図
【図１１】第１回動位置のロック部材と回動支持部の斜視図
【図１２】（Ａ）第２回動位置のロック部材と回動支持部の平面図，（Ｂ）第１回動位置のロック部材と回動支持部の平面図
【図１３】（Ａ）第２回動位置のロック部材と回動支持部の平断面図，（Ｂ）第１回動位置のロック部材と回動支持部の平断面図
【図１４】（Ａ）第２回動位置のロック部材と回動支持部の底断面図，（Ｂ）第１回動位置のロック部材と回動支持部の底断面図
【図１５】第１と第２の回動位置の間のロック部材と回動支持部の底断面図
【図１６】（Ａ）第２実施形態の回動支持部とロック部材の上側斜視図，（Ｂ）その下側斜視図
【図１７】（Ａ）第３実施形態の回動支持部とロック部材の上側斜視図，（Ｂ）その下側斜視図
【図１８】（Ａ）第２回動位置のロック部材の斜視図，（Ｂ）第１回動位置のロック部材の斜視図
【発明を実施するための形態】
【００１７】
［第１実施形態］
以下、本発明の一実施形態を図１〜図１５に基づいて説明する。図１には、本発明に係る蓋体１０がコンテナ９０に装着された状態が示されている。コンテナ９０は、平面形状が長方形で上面が開放した直方体状をなし、その上端から側方に上端フランジ９１が張り出すと共に、下端から側方に下端フランジ９２が張り出している。また、コンテナ９０の四隅のコーナー部及びそれらの近傍には、上下方向に延びて上端フランジ９１と下端フランジ９２との間を連絡する縦リブ９３が備えられている。さらに、コンテナ９０の下面の略全体には、下端フランジ９２の下面より下方に突出する図示しない下面突部が備えられ、コンテナ９０，９０同士を段積みしたときに、下段側のコンテナ９０の上面開口９０Ｋに、上段側のコンテナ９０の下面突部が嵌合して上下のコンテナ９０，９０の横ずれが規制される。
【００１８】
蓋体１０は、コンテナ９０の上端フランジ９１の上面に重なる蓋本体部１１から、上端フランジ９１の外側に嵌合される嵌合部１２が垂下した構造をなしている。蓋本体部１１には、その外縁部に沿って土手部１３が形成されている。その土手部１３は、下面開放の断面角溝状をなしている。そして、蓋体１０の上にコンテナ９０を段積みすると、そのコンテナ９０を下面突部が土手部１３の内側に嵌合して横ずれが規制される。
【００１９】
蓋本体部１１のうち土手部１３の外側部分は、水平な外縁水平部１４となって土手部１３全体を取り囲み、その外縁水平部１４によって土手部１３と外縁水平部１４との間に段差が形成されている。蓋本体部１１のうち土手部１３より内側部分は、水平な内側水平部１５をなし、外縁水平部１４より僅かに上方に位置している。また、図３に示すように、内側水平部１５の下面のうち土手部１３から僅かに内側にずれた位置からは、枠形リブ１６が垂下され、その枠形リブ１６の下端部は、外縁水平部１４より下方に位置している（図４参照）。
【００２０】
図３に示すように、土手部１３の内部には、土手部１３を幅方向に横切るように複数の補強リブ１７が形成され、それら補強リブ１７の下面は、外縁水平部１４の下面と面一になっている。また、補強リブ１７の幅方向の一端部は枠形リブ１６まで延長され、その延長部分が内側水平部１５の下面から突出している。そして、図４に示すように、コンテナ９０の上端フランジ９１が、蓋体１０の嵌合部１２と枠形リブ１６との間に嵌合され、蓋本体部１１の一部を構成する補強リブ１７、外縁水平部１４及び後述する下支持壁１５Ｗの下面が、上端フランジ９１の上面に重なる。
【００２１】
図１及び図２に示すように、蓋体１０の外縁部のうち１対の長辺の両端寄り位置の計４箇所には回動支持部１８が設けられ、それら回動支持部１８にロック部材４０が回動可能に取り付けられている。また、回動支持部１８には、互いに対称な２種類が備えられ、それら回動支持部１８が、蓋体１０の縦横両方向で対称となるように配置されている。これに対応してロック部材４０にも互いに対称な２種類が備えられている。
【００２２】
図６に示すように回動支持部１８には、嵌合部１２を貫通する貫通孔１９と、土手部１３を分断する分断部１３Ａとが備えられている。貫通孔１９は、横長の長方形をなし、嵌合部１２の下端寄り位置から外縁水平部１４に亘って形成されている。
【００２３】
分断部１３Ａは、土手部１３の一部を貫通孔１９の横方向の全長より長く分断してなる。また、図１に示すように、分断部１３Ａ及び貫通孔１９のうち蓋体１０のコーナー部に近い側の一端は、蓋体１０の長手方向で概ね同じ位置に配置されている。
【００２４】
図６に示すように、分断部１３Ａを挟んで対向する土手部１３の分断面１３Ｂ，１３Ｃの間には、上支持壁２０が差し渡されている。上支持壁２０は、帯板状をなして分断面１３Ｂ，１３Ｃの下端寄り位置に配置されている。上支持壁２０の幅は、一端部を除いて土手部１３の幅より小さくなっていて、上支持壁２０の外側の側面は、土手部１３の外側の側面より内側にずれ、上支持壁２０の内側の側面は、土手部１３の内側の側面と面一になっている。そして、上支持壁２０のうち蓋体１０のコーナー部側の一端部を段付き状に幅広にして拡張部２０Ｂが形成され、その拡張部２０Ｂの外側の側面と、土手部１３の外側の側面とが面一になっている。
【００２５】
拡張部２０Ｂから離れた側の一方の分断面１３Ｃの両側縁部と上支持壁２０の上面の両側縁部との間は１対のリブ２１，２１にて連絡されている。それらリブ２１，２１の上面は、土手部１３の上面より下方に位置し、分断面１３Ｃから水平に延び、途中から徐々に低くなるように傾斜している。なお、リブ２１，２１の先端は、貫通孔１９における分断面１３Ｃ側の端部に略重なる位置に配置されている。
【００２６】
図１２（Ａ）に示すように、上支持壁２０のうち貫通孔１９に対応する部分には、外側から上支持壁２０の一部を湾曲形状に切除してなる湾状切欠２０Ａが備えられている。また、上支持壁２０のうちリブ２１，２１に挟まれた部分には、円弧状の回動係合溝２２が形成されている。図１２（Ａ）に示すように、回動係合溝２２は、隙間を空けて対向する１対の同心の円弧状側面と、それら円弧状側面の端部同士の間を連絡する１対の半円弧状端面とを備えている。嵌合部１２側に位置する一方の半円弧状端面が本発明の第１ストッパ部Ｓ２をなし、１対の円弧状側面が第１ストッパ部Ｓ２に連なる本発明のガイド面２２Ｇ，２２Ｇをなしている。また、それらガイド面２２Ｇ，２２Ｇの円弧をそれぞれ一部に含む同心の円の中心ＣＬ１（以下、同様の説明の際には、単に「円弧の中心」という）は、外側のリブ２１の外側面と分断面１３Ｃとが交差する角部の近傍で、上支持壁２０及びリブ２１より外側に位置している。
【００２７】
蓋本体部１１のうち上支持壁２０に覆われている部分は、外縁水平部１４と上面が面一の下支持壁１５Ｗになっている。下支持壁１５Ｗは、蓋本体部１１のうち土手部１３より内側部分まで延長されて内側水平部１５との間に段差面２４を有する。そして、その段差面２４より内側部分が、後述する上面押え片４５を受容するための第１受容凹部２４Ｘになっている。
【００２８】
段差面２４には、嵌合部１２から最も離れた部分に位置して上支持壁２０の長手方向に延びる第１直線部２４Ａと、第１直線部２４Ａにおける回動係合溝２２側の一端部に直交して上支持壁２０の下方位置まで延びる第２直線部２４Ｂと、第１直線部２４Ａにおける他端部に斜めに交差し、上支持壁２０の下方位置まで全体的に湾曲して延びる円弧部２４Ｃとが備えられている。
【００２９】
図７に示すように、円弧部２４Ｃの全体は、前述の回動係合溝２２と同心の円弧状をなしている。また、円弧部２４Ｃの長手方向の途中位置には、第１被係合部２５が形成されている。第１被係合部２５は、円弧部２４Ｃの一部を外側に屈曲させてなり、その第１被係合部２５の内面は、円弧部２４Ｃ全体に対して傾斜した傾斜面を左右対称に備えた台形状になっている。また、円弧部２４Ｃのうち上支持壁２０側の端部には、第２被係合部２６が形成されている。第２被係合部２６は、円弧部２４Ｃの端部をクランク状に外側に屈曲させてなり、その段差部分は傾斜面になっている。
【００３０】
図６に示すように、上支持壁２０の回動係合溝２２を有する側の端部寄り位置には、上支持壁２０と下支持壁１５Ｗとの間を連絡する上下連絡壁２７が設けられ、その上下連絡壁２７の一側面が第２直線部２４Ｂの一部をなしている。
【００３１】
上下連絡壁２７を挟んで第１受容凹部２４Ｘの反対側には、上支持壁２０と下支持壁１５Ｗとが隙間を空けて対向する第２受容凹部２４Ｙが形成されている。その第２受容凹部２４Ｙは、嵌合部１２側が開放し、嵌合部１２から離れた側は、内側水平部１５と下支持壁１５Ｗとの間の段差面２４Ｄ（図７参照）によって閉塞されている。
【００３２】
なお、図７に示すように、上支持壁２０のうち下面の外側縁部には、湾状切欠２０Ａと分断面１３Ｃとの間に全体に面取斜面２０Ｃが形成されている。そして、上下連絡壁２７の端部は、その面取斜面２０Ｃの手前に位置している。また、回動係合溝２２の延長線上には、導入溝２２Ａが延びて面取斜面２０Ｃを横切っている。
【００３３】
上支持壁２０のうち湾状切欠２０Ａの奥部中央の下面には、下面突部２３が形成されている。下面突部２３は、湾状切欠２０Ａ側に傾斜面を有し、湾状切欠２０Ａと反対側に垂直面を有する台形状をなし、その垂直面が、本発明に係る第２ストッパ部Ｓ４になっている。なお、下面突部２３のうち第２ストッパ部Ｓ４の両横の側面は、本発明に係る「被ガイド部」に相当する。
【００３４】
次ぎに、ロック部材４０について説明する。図８に示すように、ロック部材４０は、上下方向で対向する上部係合片４１とロック突片４２とを側部壁４３にて連絡した所謂溝形構造をなしている。そして、図４に示すように、上部係合片４１が下支持壁１５Ｗの上面に重ねられる一方、ロック突片４２が上端フランジ９１の下面に重ねられて蓋体１０をコンテナ９０にロックする。
【００３５】
具体的には、図８に示すように、上部係合片４１は、横方向に延びて全長が土手部１３の分断面１３Ｂ，１３Ｃの間隔より僅かに短いベース部４１Ｋと、ベース部４１Ｋから横並びになって突片状に張り出す上面押え片４５及び回動支持片４６とを備える。また、上面押え片４５と回動支持片４６との間は、本発明に係る干渉回避用凹部４１Ｕ（図８，図９参照）になっている。さらに、ベース部４１Ｋの上面からは補強リブ４４が起立してベース部４１Ｋの長手方向全体に亘って延びている。そして、図１３（Ｂ）に示すように、上面押え片４５が第１受容凹部２４Ｘに収まる一方、回動支持片４６が第２受容凹部２４Ｙに収まり、干渉回避用凹部４１Ｕに上下連絡壁２７が受容される。また、図１１に示すように、補強リブ４４は、上支持壁２０のうち拡張部２０Ｂを除く全体の外側の側面に宛がわれる。このときの、蓋体１０に対するロック部材４０の位置が本発明に係る第１回動位置に相当する。
【００３６】
図８に示すように、回動支持片４６の上面には、係合突条５２が備えられている。係合突条５２は、回動係合溝２２と曲率変形が略同一で回動係合溝２２より短い円弧状をなしている。また、係合突条５２の幅は、回動係合溝２２より僅かに小さくなっている。さらに、係合突条５２の円弧の中心は、補強リブ４４のうち回動支持片４６側の端面と上支持壁２０側を向いた側面とが交差する角部に配置されている。そして、図１２（Ａ）及び図１２（Ｂ）に示すように、上支持壁２０の回動係合溝２２に係合して、ロック部材４０が回動支持部１８に回動可能に支持されている。また、係合突条５２が回動係合溝２２に係合することで回動係合溝２２の円弧の中心ＣＬ１と、係合突条５２の円弧の中心とが同じになっている。以下、係合突条５２の円弧の中心も、ロック部材４０の中心も、回動係合溝２２の円弧の中心ＣＬ１と同じ符号を付して「中心ＣＬ１」という。
【００３７】
図８に示すように、係合突条５２を回動係合溝２２に係合させるために、係合突条５２の一端部は徐々に低くなるように傾斜した傾斜面５２Ａになっている。そして、傾斜面５２Ａを前述の上支持壁２０の導入溝２２Ａ（図７参照）に臨ませた状態でロック部材４０を回動させることで、上支持壁２０を僅かに上方に弾性変形させながら係合突条５２を回動係合溝２２内に押し込むことができる。
【００３８】
図１２（Ａ）に示すように、係合突条５２のうち傾斜面５２Ａと反対側の半円弧状の端面は、本発明の第１ストッパ部Ｓ１になっていて、ロック部材４０が第２回動位置に配置された状態で回動係合溝２２の第１ストッパ部Ｓ２と対向（具体的には、隣接又は当接し）する。また、係合突条５２の円弧状の側面は、第１ストッパ部Ｓ２に連なる本願発明のガイド面５２Ｇ，５２Ｇになっている。なお、係合突条５２のガイド面５２Ｇにとって、回動係合溝２２のガイド面２２Ｇは、本発明の「被ガイド部」に相当し、回動係合溝２２のガイド面２２Ｇにとって、係合突条５２のガイド面５２Ｇは、本発明の「被ガイド部」に相当する。
【００３９】
回動支持片４６の外縁部には、中心ＣＬ１から離れた側に円弧状の側面４６Ａが備えられている。また、その側面４６Ａの反対側の側面４６Ｂは、ベース部４１Ｋの長手方向と直交する方向に延び、それら側面４６Ａ，４６Ｂに挟まれた回動支持片４６の先端面４６Ｃはベース部４１Ｋの長手方向と平行に延びている。そして、図１３（Ｂ）に示すように、ロック部材４０が第１回動位置に配置されると、側面４６Ｂが第２受容凹部２４Ｙの内側面に隣接するか面当接する。
【００４０】
図８に示すように、上面押え片４５は、回動支持片４６に概ね相似し、回動支持片４６より大きくなっている。即ち、上面押え片４５は、回動支持片４６と同様に、中心ＣＬ１から離れた側に円弧状の側面４５Ａを備えると共に、その反対側にベース部４１Ｋの長手方向と直交する方向に延びる側面４５Ｂを備え、さらに、先端にベース部４１Ｋの長手方向と平行な先端面４５Ｃを備えている。また、上面押え片４５の側面４５Ａと回動支持片４６の側面４６Ａは、前述の中心ＣＬ１を共通の中心とする同心の円弧になっている。さらに、上面押え片４５の外形は、第１受容凹部２４Ｘと略同一で、図１３（Ｂ）に示すように、ロック部材４０が第１回動位置に配置されたときに、上面押え片４５が第１受容凹部２４Ｘに丁度収まる。
【００４１】
図８に示すように、上面押え片４５の上面には、中心ＣＬ１を中心とする円弧状の上面溝５０が形成されている。上面溝５０の一端部は、上面押え片４５の側面４５Ｂに開口し、上面溝５０の一端寄り位置を回動規制リブ５１が横切っている。そして、回動規制リブ５１のうち上面溝５０の一端部の開口と反対側を向いた面が本発明に係る第２ストッパ部Ｓ３をなし、その第２ストッパ部Ｓ３に連なる上面溝５０の１対の円弧状側面が本発明に係るガイド面５０Ｇ，５０Ｇになっている。そして、図１３（Ａ）に示すように、下面突部２３が上面溝５０の他端部と回動規制リブ５１との間に係合して、ロック部材４０が第２回動位置に位置すると、下面突部２３の第２ストッパ部Ｓ４と回動規制リブ５１の第２ストッパ部Ｓ３とが対向（具体的には、隣接又は当接）し、ロック部材４０が第２回動位置より外側に回動することが規制される。
【００４２】
図８に示すように、上面押え片４５のうち上面溝５０より回動中心から離れた位置には、中心ＣＬ１を中心とする円弧状のスリット４５Ｓが形成され、そのスリット４５Ｓのベース部４１Ｋ側の一端部が屈曲して側面４５Ａに開放し、上面押え片４５の一部が弾性係合片４７として切り離されている。また、弾性係合片４７の先端寄り位置からは、側方に向かって係合突部４８が突出している。その係合突部４８は、第１被係合部２５に対応した台形状になっている。そして、図１３（Ｂ）に示すように、ロック部材４０が第１回動位置に配置された状態で係合突部４８が第１被係合部２５に係合し、そこからロック部材４０が外側に回動してロック部材４０が第２回動位置に至ると、図１３（Ａ）に示すように、係合突部４８が第２被係合部２６に係合する。また、このとき、図１２（Ａ）に示すように、係合突条５２及び回動係合溝２２の一端部同士が当接するか隣接する。
【００４３】
なお、図８に示すように、上面押え片４５のうち弾性係合片４７の先端が突き合わされる先端対向壁４９の上面には、弾性係合片４７側に向かって下る進入ガイド部４９Ａが形成されている。また図９に示すように上面押え片４５及び回動支持片４６の両下面には、ベース部４１Ｋの長手方向と直交する方向に延びる摺接突条４１Ｔが備えられている。
【００４４】
図８に示すように、側部壁４３は、横長の四角形をなして、ベース部４１Ｋから垂下している。その側部壁４３の横方向の一端部は上面押え片４５と回動支持片４６との間の中間に位置する一方、他端部は上面押え片４５の側面４５Ａと面一になっている。そして、図１１に示すように、ロック部材４０が第１回動位置に位置したときに、側部壁４３が貫通孔１９に丁度収まり、図１２（Ｂ）に示すように、側部壁４３の外面が嵌合部１２の外面と面一かそれより内側に位置する。
【００４５】
図９に示すように、ロック突片４２は、側部壁４３と同じ横幅の長方形をなして水平に延びている。また、ロック突片４２の平面形状である長方形のうちロック部材４０の回動の中心ＣＬ１側の先端角部は、その先端角部を直線状に横切る折り曲げ線ＣＬ２で下方に折り曲げられて傾斜ガイド部５３が形成されている。また、その傾斜ガイド部５３の先端は、折り曲げ線ＣＬ２と平行に面取りされている。
【００４６】
詳細には、図５に示すように傾斜ガイド部５３は、ロック突片４２の上面に対して傾斜したガイド面５３Ａと、そのガイド面５３Ａの裏側に位置しかつガイド面５３Ａと平行な裏面５３Ｄと、水平な下面５３Ｂと、下面５３Ｂと直交し、折り曲げ線ＣＬ２と平行な先端面５３Ｃとを有する。そして、ロック部材４０が第２回動位置に配置されたときに（図５に示した状態）、傾斜ガイド部５３の先端面５３Ｃが嵌合部１２の貫通孔１９内で、嵌合部１２の内側面より僅かに外側に位置する。
【００４７】
本実施形態の蓋体１０の構成に関する説明は以上である。次ぎに、本実施形態の蓋体１０の作用効果について説明する。蓋体１０をコンテナ９０に取り付けるには、図２に示すように、全てのロック部材４０を第２回動位置に配置して蓋体１０をコンテナ９０の上面に載置する。
【００４８】
このとき、ロック部材４０は第２回動位置に配置されると蓋体１０内にロック部材４０は突出しない状態になる。詳細には、図１３（Ａ）に示すように、ロック部材４０は、係合突部４８と第２被係合部２６との係合によって第２回動位置に保持され、その第２回動位置では、図１４（Ａ）に示すように、ロック部材４０のロック突片４２が、蓋体１０の嵌合部１２内に突出しない状態になる。これにより、上端フランジ９１の先端がロック突片４２の先端に引っ掛かることなく蓋体１０をコンテナ９０の上面にスムーズに載置することができる。しかも、ロック突片４２は、嵌合部１２内に突出しないだけではなく、図５に示すように、ロック突片４２のうち最も上端フランジ９１側に位置する傾斜ガイド部５３の先端面５３Ｃが、嵌合部１２の貫通孔１９内、即ち、嵌合部１２の外側面と内側面との間に位置するので、ロック突片４２と嵌合部１２の外側面との間に異物が挟まることが防がれる。
【００４９】
蓋体１０がコンテナ９０の上に載置されると、図５に示すように、コンテナ９０の上端部が蓋体１０の嵌合部１２の内側に嵌合され、コンテナ９０の上端フランジ９１の上面に蓋体１０の外縁部が重なる。蓋体１０をコンテナ９０にロックするには、この状態でロック部材４０を第１回動位置まで回動させればよい。具体的には、第２回動位置のロック部材４０の側部壁４３又は補強リブ４４を側方から押せばよい。
【００５０】
すると、係合突部４８が第２被係合部２６の段差部分に乗り上がって弾性係合片４７が弾性変形し、係合突部４８と第２被係合部２６との係合が解除される。そして、図１５に示すように、ロック突片４２が傾斜ガイド部５３側から上端フランジ９１に接近し、ガイド面５３Ａが上端フランジ９１に摺接してロック突片４２が上端フランジ９１の下方に入り込む。
【００５１】
ロック部材４０が第１回動位置に至ると、図１１に示すように、ロック部材４０の側部壁４３が嵌合部１２と平行になって貫通孔１９内丁度収まり、貫通孔１９が側部壁４３によって閉じられた状態になる。また、図１３（Ｂ）に示すように、弾性係合片４７の係合突部４８が第１被係合部２５に係合してロック部材４０が第１回動位置に保持される。そして、図４に示すように、ロック部材４０の上部係合片４１とロック突片４２とにより、蓋本体部１１の下支持壁１５Ｗとコンテナ９０の上端フランジ９１とが上下方向で挟まれた状態になって蓋体１０がコンテナ９０にロックされる。
【００５２】
蓋体１０をコンテナ９０から取り外すには、上記操作を逆の順序の操作を行えばよい。その際、補強リブ４４のうち上支持壁２０の湾状切欠２０Ａに対応する部分に指を宛がえば、指先を湾状切欠２０Ａ内に突入させる位置まで深く補強リブ４４に係合させて、ロック部材４０を容易に外側に回動することができる。そして、第１ストッパ部Ｓ１，Ｓ２同士、第２ストッパ部Ｓ３，Ｓ４同士の対向によって、ロック部材４０が図１０及び図１２（Ａ）に示した第２回動位置より外側に移動することが規制される。
【００５３】
詳細には、図１２（Ａ）に示すように、中心ＣＬ１から離れた側の第２ストッパ部Ｓ３，Ｓ４同士が当接することで、ロック部材４０が第２回動位置に位置決めされ、中心ＣＬ１に近い側の第１ストッパ部Ｓ１，Ｓ２同士は隙間を空けて隣接する。そして、補強リブ４４のうち湾状切欠２０Ａに対応する部分が強く引っ張られたときには、その操作力が第２ストッパ部Ｓ３，Ｓ４同士の当接によって受け止められ、上支持壁２０又は上面押え片４５が変形したとき第１ストッパ部Ｓ１，Ｓ２同士も当接して、第１ストッパ部Ｓ１，Ｓ２と第２ストッパ部Ｓ３，Ｓ４との協働により、ロック部材４０が第２回動位置より外側に移動することが規制される。また、補強リブ４４のうち中心ＣＬ１側の端部が引っ張られると、その負荷の向きによっては、第１ストッパ部Ｓ１，Ｓ２が第２ストッパ部Ｓ３，Ｓ４より大きな負荷を受け止めてロック部材４０が回動支持部１８から外れることを防ぐことができる。
【００５４】
このように、本実施形態の蓋体１０では、第１ストッパ部Ｓ１，Ｓ２と第２ストッパ部Ｓ３，Ｓ４が、上部係合片４１の回動半径方向の２箇所に分けて配置されているので、ロック部材４０の回動中心に近い側と遠い側との何れかを引っ張られても、それら負荷に対抗することができる。また、上部係合片４１が、上支持壁２０と下支持壁１５Ｗとに上下から挟まれて上下方向への変形が規制され、その上部係合片４１と上支持壁２０とに備えた第１ストッパ部Ｓ１，Ｓ２と第２ストッパ部Ｓ３，Ｓ４によってロック部材４０が第２回動位置より外側に回動することを規制するから、ロック部材４０の回動規制が従来より強化され、ロック部材４０の耐久性が向上する。
【００５５】
また、ロック部材４０を第１回動位置から第２回動位置に回動したときに、第１ストッパ部Ｓ１，Ｓ２同士は、ガイド面２２Ｇ，５２Ｇの案内により安定して対向し、第２ストッパ部Ｓ３，Ｓ４同士は、ガイド面５０Ｇの案内により安定して対向する。この点によってもロック部材４０の回動規制が強化される。さらには、上部係合片４１のうち第１ストッパ部Ｓ１と第２ストッパ部Ｓ３との間に干渉回避用凹部４１Ｕ（図９参照）を形成したことで、その干渉回避用凹部４１Ｕに受容される上下連絡壁２７にて上支持壁２０と蓋本体部１１との間を連絡することができる。これにより上支持壁２０の変形が規制されて、ロック部材４０の回動規制が強化される。
【００５６】
また、図１０に示すように、本実施形態の蓋体１０では、上支持壁２０の外側面は、蓋本体部１１の外側面（嵌合部１２の外側面でもある外縁水平部１４の外側面）より内側に配置されている。そして、図１１に示すように、上部係合片４１の上面から起立する補強リブ４４が、ロック部材４０が第１回動位置に配置されたときに上支持壁２０の外側面に宛がわれるので、補強リブ４４を、蓋本体部１１の外側面より側方に大きく突出させずに、その補強リブ４４にてロック部材４０を補強することができる。しかも、ロック部材４０の回動の中心ＣＬ１（図１２（Ｂ）参照）を補強リブ４４の長手方向の一端部に配置したことで補強リブ４４を上支持壁２０と干渉させずに、上部係合片４１の上面の略全体に亘って延ばすことができ、上部係合片４１全体を補強することができる。
【００５７】
また、図５に示すように、ロック部材４０が第２回動位置に位置したときには、ロック突片４２のうち上端フランジ９１に最も近い部位が、上端フランジ９１の外側に嵌合する嵌合部１２の内側面から延長された面より外側に位置するので、コンテナ９０に対する蓋体１０の脱着時に上端フランジ９１とロック部材４０との干渉が確実に防がれる。
【００５８】
［第２実施形態］
本実施形態の蓋体１０Ｖは、図１６に示されており、本実施形態のロック部材４０Ｖは、第１実施形態のロック部材４０の回動支持片４６における上面の係合突条５２（図８参照）が下面に配置された構造になっている。これに対応して、第１実施形態の回動係合溝２２が上支持壁２０ではなく下支持壁１５Ｗに形成されている。そして、それら係合突条５２の一端部と回動係合溝２２の一端部とに、図示しないが前記第１実施形態と同様に第１ストッパ部Ｓ１，Ｓ２が備えられている。
【００５９】
また、下支持壁１５Ｗのうち第２受容凹部２４Ｙの下方部分は、第１受容凹部２４Ｘの下方部位に比べて補強のために厚肉化されて段付き状に高くなっている。これに対応して、上支持壁２０が、第１受容凹部２４Ｘと第２受容凹部２４Ｙとの間でクランク状に屈曲し、ロック部材４０Ｖの上部係合片４１が、回動支持片４６と上面押え片４５との間でクランク状に屈曲している。そして、上支持壁２０のうち第２受容凹部２４Ｙの上方部分が第１受容凹部２４Ｘの上方部位に比べて段付き状に高くなっていると共に、上部係合片４１のうち回動支持片４６が上面押え片４５に比べて段付き状に高くなっている。そして、第１実施形態と同様に、上支持壁２０に下面突部２３が備えられる一方、ロック部材４０Ｖに上面溝５０及び回動規制リブ５１が備えられ、それら回動規制リブ５１と下面突部２３とに第１実施形態と同様に第２ストッパ部Ｓ３，Ｓ４が設けられている。
【００６０】
［第３実施形態］
本実施形態の蓋体１０Ｗは、第２実施形態を変形させたもので図１７及び図１８に示されている。前記第１及び第２の実施形態の回動支持部１８では、上支持壁２０を超えて蓋本体部１１の内側まで下支持壁１５Ｗが形成されていたが、本実施形態の回動支持部１８では、図１７（Ｂ）に示すように、下支持壁１５Ｗのうち前記第１及び第２の実施形態で上支持壁２０より内側に位置していた部分が除去され、それに替えて内側水平部１５から段付き状に上方にずれた上支持壁１５Ｖが備えられて上支持壁２０に連続している。これにより、蓋体１０Ｗの上面全体の汚れ防止が図られると共に、蓋体１０Ｗの上面の拭き取り作業が容易になる。なお、図１８に示すように、上支持壁１５Ｖには、下面突部２３の第２ストッパ部Ｓ４を成形するための型抜き孔１５Ｕが備えられている。
【００６１】
なお、第１〜第３の実施形態の蓋体１０，１０Ｖ，１０Ｗのうち蓋本体部１１とは、「コンテナ９０の上端フランジ９１の上面に重なり、前記コンテナ９０の上面開口９０Ｋを閉塞する」部分を意味する。よって、蓋本体部１１を構成する上記した下支持壁１５Ｗ、上支持壁１５Ｖ，２０、補強リブ１７、土手部１３等は、蓋本体部１１の一部でもある。
【００６２】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００６３】
（１）前記実施形態のロック突片４２の平面形状は四角形をなし、傾斜ガイド部５３を除いたロック突片４２の先端面がロック部材４０の側部壁４３と平行になっていたが、ロック突片４２の平面形状は、四角形でなくてもよく、また、ロック突片４２の先端面は側部壁４３に対して傾斜していたり、丸みを帯びた形状になっていてもよい。
【００６４】
（２）前記実施形態の傾斜ガイド部５３の先端は、折り曲げ線ＣＬ２と平行に面取りされていたが、傾斜ガイド部５３の先端が円弧状に面取りされていてもよいし、面取り自体がされていなくてもよい。
【００６５】
（３）前記実施形態のロック部材４０の傾斜ガイド部５３の先端面５３Ｃは、ロック部材４０が第２回動位置に配置された状態で嵌合部１２の内側面より外側に位置していたが、嵌合部１２の内側面と面一であってもよいし、嵌合部１２の内側面より僅かに突出していてもよい。
【００６６】
（４）前記実施形態では、ロック部材４０が蓋体１０の縦横に対称に配置されて、全てのロック部材４０が蓋体１０のコーナー部に近い側が回動する構造になっていたが、全てのロック部材４０が蓋体１０のコーナー部から遠い側が回動する構造であってもよいし、蓋体１０のコーナー部から遠い側を中心に回動するロック部材４０と、蓋体１０のコーナー部に近い側を中心に回動するロック部材４０とが混在していてもよい。
【００６７】
また、例えば、前記実施形態の蓋体１０において、全てのロック部材４０が蓋体１０の長手方向の一方側に回動中心を有する構成としておき、搬送時に１対のレールの間に蓋体１０付きのコンテナ９０を通して、それらレールによってロック部材４０，４０を第２回動位置から第１回動位置に移動させてもよい。
【００６８】
（５）前記第１〜第３実施形態の蓋体１０，１０Ｖ，１０Ｗでは、第２ストッパ部Ｓ４は、上支持壁１５Ｖ，２０に形成されていたが、下支持壁１５Ｗの上面に下面突部２３に対応した上面突部を備えて、その上面突部に第２ストッパ部Ｓ４を設けてもよい。その場合、上部係合片４１の下面に上面溝５０及び回動規制リブ５１と同様の円弧状の下面溝と回動規制リブを設けて、その回動規制リブに第２ストッパ部Ｓ３を備えればよい。また、前記第１〜第３実施形態における第１ストッパ部Ｓ１，Ｓ２の間の凹凸関係を逆にしてもよい。具体的には、ロック部材４０に形成されていた係合突条５２を上支持壁２０の下面に設け、上支持壁２０に形成されていた回動係合溝２２をロック部材４０に設けてもよい。これと同様に、第２ストッパ部Ｓ３，Ｓ４の間の凹凸関係を逆にしてもよい。
【００６９】
（６）また、下面突部２３のうち第２ストッパ部Ｓ４の両側の側面を、上面溝５０のガイド面５０Ｇ，５０Ｇに重なる円弧状のガイド面にして、それら下面突部２３のガイド面と上面溝５０のガイド面５０Ｇとが、互いに一方が他方によってガイドされる「被ガイド部」となるようにしてもよい。
【００７０】
（７）前記第１〜第３実施形態の貫通孔１９を嵌合部１２の下端部まで切り欠いて切欠部としてもよい。
【符号の説明】
【００７１】
１０，１０Ｖ，１０Ｗ    蓋体
１１    蓋本体部
１２    嵌合部
１５Ｖ，２０    上支持壁
１５Ｗ    下支持壁
２２    回動係合溝
２２Ｇ，５０Ｇ，５２Ｇ    ガイド面
２７    上下連絡壁
４０，４０Ｖ    ロック部材
４１    上部係合片
４１Ｕ    干渉回避用凹部
４２    ロック突片
４３    側部壁
５０    上面溝
９０    コンテナ
９０Ｋ    上面開口
９１    上端フランジ
Ｓ１，Ｓ２    第１ストッパ部
Ｓ３，Ｓ４    第２ストッパ部
【図１】
2019112070.tif 000003
【図２】
2019112070.tif 000004
【図３】
2019112070.tif 000005
【図４】
2019112070.tif 000006
【図５】
2019112070.tif 000007
【図６】
2019112070.tif 000008
【図７】
2019112070.tif 000009
【図８】
2019112070.tif 000010
【図９】
2019112070.tif 000011
【図１０】
2019112070.tif 000012
【図１１】
2019112070.tif 000013
【図１２】
2019112070.tif 000014
【図１３】
2019112070.tif 000015
【図１４】
2019112070.tif 000016
【図１５】
2019112070.tif 000017
【図１６】
2019112070.tif 000018
【図１７】
2019112070.tif 000019
【図１８】
2019112070.tif 000020